(57)【要約】【課題】簡易な構成でステープル針の除去精度を向上できるステープル針リムーバーを提供する。【解決手段】ステープル針リムーバー１は、変形補助部１０と、第一刃２０とを備えている。変形補助部１０は、上記紙束１００のうち上記ステープル針１１０に綴じられた部分を、ステープル針１１０の長手方向ＤＲ１に対して湾曲させる。第一刃２０は、湾曲した紙束１００とステープル針１１０との間に挿入され、ステープル針１１０を紙束１００から取り外す。変形補助部１０は、支持部１３を含んでいる。支持部１３には、厚み方向において支持部１３の表面と裏面とを連通する連通空間１２が形成されている。紙束１００は、ステープル針１１０の下方に連通空間１２が位置するように配置されている。紙束１００は、支持部１３および第一刃２０に互いに挟み込まれることにより、連通空間１２に入り込んで湾曲する。【選択図】図４
2019136781.tif 000002
【特許請求の範囲】
【請求項１】
紙束を綴じたステープル針を前記紙束から取り外すステープル針リムーバーであって、
前記紙束のうち前記ステープル針に綴じられた部分を、前記ステープル針の長手方向に対して湾曲させる変形補助部と、
湾曲した前記紙束と前記ステープル針との間に挿入され、前記ステープル針を前記紙束から取り外す第一刃と、を備え、
前記変形補助部は、前記紙束を支持する支持部を含み、
前記支持部には、前記紙束の厚み方向において前記支持部の表面と前記支持部の裏面とを連通する連通空間が形成されており、
前記紙束は、前記ステープル針の下方に前記連通空間が位置するように配置されており、
前記紙束は、前記支持部および前記第一刃に互いに挟み込まれることにより、前記連通空間に入り込んで湾曲する、ステープル針リムーバー。
【請求項２】
前記長手方向において、前記連通空間の幅と前記ステープル針の長さとの差は、１[ｍｍ]以上２０[ｍｍ]以下である、請求項１に記載のステープル針リムーバー。
【請求項３】
紙束を綴じたステープル針を前記紙束から取り外すステープル針リムーバーであって、
前記紙束のうち前記ステープル針に綴じられた部分を、前記ステープル針の長手方向に対して湾曲させる変形補助部と、
湾曲した前記紙束と前記ステープル針との間に挿入され、前記ステープル針を前記紙束から取り外す第一刃と、を備え、
前記変形補助部は、前記紙束を支持する支持部を含み、
前記紙束が前記支持部に固定され、前記第一刃が動作することにより、前記ステープル針が前記紙束から取り外される、ステープル針リムーバー。
【請求項４】
前記支持部には、前記紙束の厚み方向において前記支持部の表面と前記支持部の裏面とを連通する連通空間が形成されており、
前記紙束は、前記ステープル針の下方に前記連通空間が位置するように配置されており、
前記紙束は、前記支持部および前記第一刃に互いに挟み込まれることにより、前記連通空間に入り込んで湾曲する、請求項３に記載のステープル針リムーバー。
【請求項５】
前記長手方向において、前記連通空間の幅と前記ステープル針の長さとの差は、１[ｍｍ]以上２０[ｍｍ]以下である、請求項４に記載のステープル針リムーバー。
【請求項６】
紙束を綴じたステープル針を前記紙束から取り外すステープル針リムーバーであって、
前記紙束のうち前記ステープル針に綴じられた部分を、前記ステープル針の長手方向に対して湾曲させる変形補助部と、
湾曲した前記紙束と前記ステープル針との間に挿入され、前記ステープル針を前記紙束から取り外す第一刃と、を備え、
前記変形補助部は、前記紙束を支持し弾性部材からなる支持部を含み、
前記紙束が湾曲するのに伴って、前記支持部が変形する、ステープル針リムーバー。
【請求項７】
前記紙束は、前記変形補助部により湾曲させられる前の状態において、前記ステープル針から、前記第一刃が挿入される方向と逆方向に３０［ｍｍ］以上に亘って、ほぼ水平である、請求項１から請求項６のいずれか１項に記載のステープル針リムーバー。
【請求項８】
前記長手方向における前記ステープル針の延長線上において、前記紙束の端部は、固定されていない、請求項１から請求項７のいずれか１項に記載のステープル針リムーバー。
【請求項９】
前記紙束は、前記ステープル針に対して、前記第一刃が挿入される方向の上流側において保持されている、請求項１から請求項８のいずれか１項に記載のステープル針リムーバー。
【請求項１０】
前記第一刃が前記ステープル針を取り外す際に前記紙束が浮き上がる方向への移動を規制する浮き防止部材をさらに備え、
前記浮き防止部材は、前記第一刃が前記ステープル針を取り外す前において、前記紙束から離れて配置されている、請求項１から請求項９のいずれか１項に記載のステープル針リムーバー。
【請求項１１】
前記浮き防止部材は、前記ステープル針から前記長手方向に沿って離れた位置に配置されている、請求項１０に記載のステープル針リムーバー。
【請求項１２】
前記浮き防止部材は、前記ステープル針に対して、前記第一刃が挿入される方向の上流側に配置されている、請求項１０に記載のステープル針リムーバー。
【請求項１３】
前記紙束の厚み方向における、前記浮き防止部材から前記支持部までの長さは、最大除針枚数時の紙束の厚みよりも大きい、請求項１０から請求項１２のいずれか１項に記載のステープル針リムーバー。
【請求項１４】
前記第一刃は、楔状の形状を有している、請求項１から請求項１３のいずれか１項に記載のステープル針リムーバー。
【請求項１５】
前記支持部は、前記ステープル針の背側から前記紙束を支持し、
前記第一刃は、前記ステープル針の足側に配置されており、
前記ステープル針の足側に配置された押圧部と、
前記ステープル針の背側に配置された第二刃と、をさらに備え、
前記第一刃および前記支持部に互いに挟み込まれることにより湾曲した前記紙束と前記ステープル針との間に前記第一刃が挿入され前記ステープル針の足が広げられた後、前記第二刃および前記押圧部に互いに挟みこまれることにより湾曲した前記紙束と前記ステープル針との間に前記第二刃が挿入され前記ステープル針が取り外される、請求項１から請求項１４のいずれか１項に記載のステープル針リムーバー。
【請求項１６】
前記第二刃は、前記第一刃に対して、前記第一刃が挿入される方向の上流側に配置されている、請求項１５に記載のステープル針リムーバー。
【請求項１７】
前記支持部には、前記紙束の厚み方向において前記支持部の表面と前記支持部の裏面とを連通する連通空間が形成されており、
前記紙束は、前記ステープル針の下方に前記連通空間が位置するように配置されており、
前記紙束は、前記支持部および前記第一刃、並びに、前記押圧部および前記第二刃に互いに挟み込まれることにより、前記連通空間に入り込んで湾曲する、請求項１５または請求項１６に記載のステープル針リムーバー。
【請求項１８】
前記押圧部は、前記長手方向において、前記連通空間の縁よりも内側に配置されている、請求項１７に記載のステープル針リムーバー。
【発明の詳細な説明】
【技術分野】
【０００１】
本発明は、ステープル針リムーバーに関する。
【背景技術】
【０００２】
ステープル針と紙束との間に刃を挿入し、ステープル針を紙束から取り外す技術が、特開平６−１８６８０９号公報（特許文献１）、特開２０１５−１４７２７１号公報（特許文献２）、および、特開２０１６−１０１６５３号公報（特許文献３）、に開示されている。
【先行技術文献】
【特許文献】
【０００３】
【特許文献１】特開平６−１８６８０９号公報
【特許文献２】特開２０１５−１４７２７１号公報
【特許文献３】特開２０１６−１０１６５３号公報
【発明の概要】
【発明が解決しようとする課題】
【０００４】
上記特許文献に開示される構成において、ステープル針は紙束と接触しているため、ステープル針と紙束との間に刃を挿入できずに、ステープル針の除去に失敗する場合がある。
【０００５】
本発明の目的は、簡易な構成でステープル針の除去精度を向上できるステープル針リムーバーを提供することである。
【課題を解決するための手段】
【０００６】
本開示に係るステープル針リムーバーは、紙束を綴じたステープル針を上記紙束から取り外す。ステープル針リムーバーは、変形補助部と、第一刃とを備えている。上記変形補助部は、上記紙束のうち上記ステープル針に綴じられた部分を、上記ステープル針の長手方向に対して湾曲させる。上記第一刃は、湾曲した上記紙束と上記ステープル針との間に挿入され、上記ステープル針を上記紙束から取り外す。上記変形補助部は、紙束を支持する支持部を含んでいる。上記支持部には、紙束の厚み方向において支持部の表面と支持部の裏面とを連通する連通空間が形成されている。上記紙束は、ステープル針の下方に上記連通空間が位置するように配置されている。上記紙束は、上記支持部および上記第一刃に互いに挟み込まれることにより、上記連通空間に入り込んで湾曲する。
【０００７】
上記のステープル針リムーバーによると、簡易な構成で紙束を湾曲させることができ、ステープル針の除去精度を向上することができる。
【０００８】
上記長手方向において、上記連通空間の幅と上記ステープル針の長さとの差は、１[ｍｍ]以上２０[ｍｍ]以下である。これにより、紙束を効率よく湾曲させることができる。
【０００９】
本開示に係るステープル針リムーバーは、紙束を綴じたステープル針を上記紙束から取り外す。ステープル針リムーバーは、変形補助部と、第一刃とを備えている。上記変形補助部は、上記紙束のうち上記ステープル針に綴じられた部分を、上記ステープル針の長手方向に対して湾曲させる。上記第一刃は、湾曲した上記紙束と上記ステープル針との間に挿入され、上記ステープル針を上記紙束から取り外す。上記変形補助部は、紙束を支持する支持部を含んでいる。上記紙束は、上記支持部に固定され、上記第一刃が動作することにより、上記ステープル針が上記紙束から取り外される。
【００１０】
上記のステープル針リムーバーによると、紙束を安定させてステープル針の除去動作を行なうことができる。
【００１１】
上記のステープル針リムーバーにおいて、上記支持部には、紙束の厚み方向において支持部の表面と支持部の裏面とを連通する連通空間が形成されている。上記紙束は、ステープル針の下方に上記連通空間が位置するように配置されている。上記紙束は、上記支持部および上記第一刃に互いに挟み込まれることにより、上記連通空間に入り込んで湾曲する。
【００１２】
上記のステープル針リムーバーによると、簡易な構成で紙束を湾曲させることができる。
【００１３】
上記長手方向において、上記連通空間の幅と上記ステープル針の長さとの差は、１[ｍｍ]以上２０[ｍｍ]以下である。これにより、紙束を効率よく湾曲させることができる。
【００１４】
本開示に係るステープル針リムーバーは、紙束を綴じたステープル針を上記紙束から取り外す。ステープル針リムーバーは、変形補助部と、第一刃とを備えている。上記変形補助部は、上記紙束のうち上記ステープル針に綴じられた部分を、上記ステープル針の長手方向に対して湾曲させる。上記第一刃は、湾曲した上記紙束と上記ステープル針との間に挿入され、上記ステープル針を上記紙束から取り外す。上記変形補助部は、紙束を支持し弾性部材からなる支持部を含んでいる。上記紙束が湾曲するのに伴って、上記支持部が変形する。
【００１５】
上記のステープル針リムーバーによると、支持部上の任意の位置において、ステープル針を除去することができる。
【００１６】
上記のステープル針リムーバーにおいて、上記紙束は、上記変形補助部により湾曲させられる前の状態において、上記ステープル針から、上記第一刃が挿入される方向と逆方向に３０［ｍｍ］以上に亘って、ほぼ水平である。これにより、紙束を効果的に湾曲させることができる。
【００１７】
上記長手方向における上記ステープル針の延長線上において、上記紙束の端部は、固定されていない。これにより、紙束が湾曲する余裕を確保することができる。
【００１８】
上記のステープル針リムーバーにおいて、上記紙束は、上記ステープル針に対して、上記第一刃が挿入される方向の上流側において保持されている。これにより、第一刃を紙束とステープル針との間に挿入する際に、動作方向において紙束が縒れることを抑制することができる。
【００１９】
上記ステープル針リムーバーは、浮き防止部材をさらに備えている。浮き防止部材は、上記第一刃が上記ステープル針を取り外す際に上記紙束が浮き上がる方向への移動を規制する。上記浮き防止部材は、上記第一刃が上記ステープル針を取り外す前において、上記紙束から離れて配置されている。これにより、第一刃が紙束を持ち上げながらステープル針を紙束から取り外す構成であっても、第一刃に紙束がつられてステープル針を除去できなくなることを抑制することができる。
【００２０】
上記のステープル針リムーバーにおいて、上記浮き防止部材は、上記ステープル針から上記長手方向に沿って離れた位置に配置されている。これにより、第一刃が紙束を持ち上げながらステープル針を紙束から取り外す際に、第一刃に紙束がつられることをより抑制することができる。
【００２１】
上記のステープル針リムーバーにおいて、上記浮き防止部材は、上記ステープル針に対して、上記第一刃が挿入される方向の上流側に配置されている。これにより、第一刃が紙束を持ち上げながらステープル針を紙束から取り外す際に、第一刃に紙束がつられることをより抑制することができる。
【００２２】
上記のステープル針リムーバーにおいて、上記変形補助部は、上記紙束を支持する支持部を含んでいる。上記紙束の厚み方向における、上記浮き防止部材から上記支持部までの長さは、最大除針枚数時の紙束の厚みよりも大きい。これにより、第一刃を紙束とステープル針との間に挿入する際に、動作方向において紙束が縒れることを抑制することができる。
【００２３】
上記のステープル針リムーバーにおいて、上記第一刃は、楔状の形状を有している。これにより、第一刃の前進動作のみでステープル針を紙束から除去することができる。
【００２４】
上記のステープル針リムーバーにおいて、上記変形補助部は、上記ステープル針の背側から上記紙束を支持する支持部を含んでいる。上記第一刃は、上記ステープル針の足側に配置されている。ステープル針リムーバーは、押圧部と、第二刃とをさらに備えている。押圧部は、上記ステープル針の足側に配置されている。第二刃は、上記ステープル針の背側に配置されている。上記第一刃および上記支持部に互いに挟み込まれることにより湾曲した上記紙束と上記ステープル針との間に上記第一刃が挿入され上記ステープル針の足が広げられた後、上記第二刃および上記押圧部に互いに挟みこまれることにより湾曲した上記紙束と上記ステープル針との間に上記第二刃が挿入され上記ステープル針が取り外される。
【００２５】
上記のステープル針リムーバーによると、２段階でステープル針を取り外すことにより、紙束へのダメージを軽減することができる。
【００２６】
上記のステープル針リムーバーにおいて、上記第二刃は、上記第一刃に対して、上記第一刃が挿入される方向の上流側に配置されている。これにより、第一刃が第二刃による紙束の撓みを阻害することを抑制することができる。
【００２７】
上記のステープル針リムーバーにおいて、上記支持部には、紙束の厚み方向において支持部の表面と支持部の裏面とを連通する連通空間が形成されている。上記紙束は、ステープル針の下方に上記連通空間が位置するように配置されている。上記紙束は、上記支持部および上記第一刃、並びに、押圧部および第二刃に互いに挟み込まれることにより、上記連通空間に入り込んで湾曲する。
【００２８】
上記のステープル針リムーバーによると、簡易な構成で紙束を湾曲させることができる。
【００２９】
上記押圧部は、上記長手方向において、連通空間の縁よりも内側に配置されている。これにより、第二刃が上方へ紙束を押し上げる量を軽減することができる。
【発明の効果】
【００３０】
本発明の適用により、簡易な構成でステープル針の除去精度を向上できるステープル針リムーバーを実現することができる。
【図面の簡単な説明】
【００３１】
【図１】実施の形態１のステープル針リムーバーの概略上面図である。
【図２】図１に示すＩＩ−ＩＩ線に沿うステープル針リムーバーの概略断面図である。
【図３】紙束のうちステープル針に綴じられた部分の断面図である。
【図４】第一刃が紙束とステープル針との間に挿入される際の概略正面図である。
【図５】図４に示すＶ−Ｖ線に沿うステープル針リムーバーの概略断面図である。
【図６】第一刃が紙束とステープル針との間に挿入された後の概略断面図である。
【図７】実施の形態２のステープル針リムーバーの概略正面図である。
【図８】実施の形態３のステープル針リムーバーの概略正面図である。
【図９】図８に示すＩＸ−ＩＸ線に沿うステープル針リムーバーの概略断面図である。
【図１０】実施の形態３の第一刃が紙束とステープル針との間に挿入される際の概略正面図である。
【図１１】図１０に示すＸＩ−ＸＩ線に沿うステープル針リムーバーの概略断面図である。
【図１２】実施の形態３の第一刃が紙束とステープル針との間に挿入された後の概略正面図である。
【図１３】図１２に示すＸＩＩＩ−ＸＩＩＩ線に沿うステープル針リムーバーの概略断面図である。
【図１４】第二刃が紙束とステープル針との間に挿入される際の概略正面図である。
【図１５】図１４に示すＸＶ−ＸＶ線に沿うステープル針リムーバーの概略断面図である。
【図１６】第二刃が紙束とステープル針との間に挿入された後の概略正面図である。
【図１７】図１６に示すＸＶＩＩ−ＸＶＩＩ線に沿うステープル針リムーバーの概略断面図である。
【図１８】実施の形態４のステープル針リムーバーを示す概略図である。
【図１９】実施の形態５のステープル針リムーバーの概略斜視図である。
【図２０】図１９に示すステープル針リムーバーの概略正面図である。
【発明を実施するための形態】
【００３２】
以下、図面に基づいて本開示の実施の形態を説明する。以下の図面において、同一または相当する部分には同一の参照番号を付し、その説明は繰り返さない。
【００３３】
［実施の形態１］
＜ステープル針リムーバー１＞
図１は、実施の形態１のステープル針リムーバー１の概略上面図である。図２は、図１に示すＩＩ−ＩＩ線に沿うステープル針リムーバー１の概略断面図である。図３は、紙束１００のうちステープル針１１０に綴じられた部分の断面図である。図１から図３を参照してステープル針リムーバー１について説明する。
【００３４】
紙束１００をまとめるため、紙束１００にはステープル針１１０が綴じられている。ステープル針リムーバー１は、紙束１００を綴じたステープル針１１０を紙束１００から取り外す。
【００３５】
図３に示すように、ステープル針１１０は、コの字状に曲げられることにより紙束１００を綴じている。ステープル針１１０は、背１１１、貫通部１１３、および足１１２を含んでいる。背１１１の両端は、貫通部１１３の一端と連結している。貫通部１１３は、紙束１００を貫通している。貫通部１１３の他端は、足１１２の一端と連結している。足１１２は、背１１１よりも短い。足１１２の他端は、自由端である。背１１１および足１１２は、紙束１００を介して対向している。
【００３６】
図中に示された両矢印は、長手方向ＤＲ１と、厚み方向ＤＲ２と、動作方向ＤＲ３とを示している。長手方向ＤＲ１は、ステープル針１１０の背１１１が延びている方向であり、図１中の左右方向である。厚み方向ＤＲ２は、紙束１００の厚み方向であり、長手方向ＤＲ１と直交している。厚み方向ＤＲ２は、図２中の上下方向である。動作方向ＤＲ３は、長手方向ＤＲ１および厚み方向ＤＲ２に直交する方向であり、後述する第一刃２０が動作する方向である。動作方向ＤＲ３は、図１中の上下方向である。
【００３７】
図１および図２に示すように、ステープル針リムーバー１は、変形補助部１０と、第一刃２０とを備えている。変形補助部１０は、紙束１００を支持する支持部１３を含んでいる。支持部１３は、ステープル針１１０の足１１２側から紙束１００を支持している。実施の形態において、支持部１３は、積載台１１である。積載台１１は、紙束１００を載せ置く。積載台１１は、ほぼ直方体状の形状を有している。積載台１１は、紙束１００を水平に保つために、たとえば金属や樹脂などの硬い素材で構成されている。
【００３８】
積載台１１には、連通空間１２が形成されている。連通空間１２は、厚み方向ＤＲ２において積載台１１の表面１１ａと積載台１１の裏面１１ｂとを連通する。連通空間１２は、長手方向ＤＲ１において積載台１１の端部から離れて形成されている。連通空間１２の上方には、ステープル針１１０が配置されている。
【００３９】
連通空間１２の長手方向ＤＲ１における幅（図１中のＢ）と、ステープル針１１０の長手方向ＤＲ１における長さ（図１中のＣ）との差は、たとえば１５[ｍｍ]程度である。長手方向ＤＲ１において、連通空間１２の幅とステープル針１１０の長さとの差は、１[ｍｍ]以上２０[ｍｍ]以下であることが好ましい。
【００４０】
紙束１００は、ステープル針１１０の下方に連通空間１２が位置するように配置されている。紙束１００は、端部Ｔを有している。端部Ｔは、長手方向ＤＲ１における紙束１００の端部である。長手方向ＤＲ１におけるステープル針１１０の延長線上（図１中の２点鎖線）において、端部Ｔは、固定されていない。端部Ｔは、長手方向ＤＲ１におけるステープル針１１０の延長線上では積載台１１に押さえつけられず、自由端である。
【００４１】
第一刃２０は、紙束１００の上に配置されている。第一刃２０は、ステープル針１１０の背１１１側に配置されている。第一刃２０は、図示しないモーター等の駆動源により動作方向ＤＲ３に動作する。第一刃２０は、前進方向ＤＲ４に進行し、紙束１００とステープル針１１０との間に挿入される。前進方向ＤＲ４は、第一刃２０が紙束１００とステープル針１１０との間に挿入される方向であり、図１中の下方向である。
【００４２】
第一刃２０は、楔状の形状を有している。第一刃２０は、狭端２０ａおよび広端２０ｂを有している。狭端２０ａは、前進方向ＤＲ４の下流側における第一刃２０の端部である。広端２０ｂは、前進方向ＤＲ４の上流側における第一刃２０の端部である。広端２０ｂから狭端２０ａに向かうにつれて、第一刃２０の長手方向ＤＲ１における幅は小さくなっている。ステープル針１１０と紙束１００との間に第一刃２０を挿入しやすくするため、狭端２０ａは、強度を鑑みながら可能な限り薄くすることが好ましい。
【００４３】
ステープル針リムーバー１は、保持部材４０および浮き防止部材３０をさらに備えている。保持部材４０は、円柱状の形状を有している。保持部材４０は、ステープル針１１０に対して、第一刃２０が紙束１００とステープル針１１０との間に挿入される方向（前進方向ＤＲ４）の上流側に配置されている。保持部材４０は、紙束１００を積載台１１に押さえつけている。これにより、紙束１００は、ステープル針１１０に対して、前進方向ＤＲ４の上流側において保持されている。
【００４４】
浮き防止部材３０は、第一刃２０がステープル針１１０を取り外す際に紙束１００が浮き上がる方向への移動を規制する。浮き防止部材３０は、第一刃２０がステープル針１１０を取り外す前において、紙束１００から離れて配置されている。浮き防止部材３０は、ステープル針１１０から長手方向ＤＲ１に沿って離れた位置に配置されている。浮き防止部材３０は、ステープル針１１０の長手方向ＤＲ１における両側に配置されている。実施の形態において、２つの浮き防止部材３０の間にステープル針１１０が配置されている。
【００４５】
厚み方向ＤＲ２における、浮き防止部材３０から支持部１３（積載台１１）までの長さ（図２中のＡ）は、最大除針枚数時の紙束１００の厚みよりも大きい。最大除針枚数とは、ステープル針リムーバー１がステープル針１１０を除去することできる紙束１００の用紙の最大枚数である。
【００４６】
＜ステープル針リムーバー１の動作＞
図４は、第一刃２０が紙束１００とステープル針１１０との間に挿入される際の概略正面図である。図５は、図４に示すステープル針リムーバー１のＶ−Ｖ線に沿う概略断面図である。図６は、第一刃２０が紙束１００とステープル針１１０との間に挿入された後の概略断面図である。図４において、ステープル針１１０については、断面で図示されている（以下、全ての概略正面図において同じ）。図４から図６を参照して、ステープル針リムーバー１の動作について説明する。
【００４７】
変形補助部１０は、図示しない、バネ等を含む第一押圧離間機構をさらに含んでいる。上記第一押圧離間機構によって、第一刃２０は、紙束１００に押し当てられる。第一刃２０は、紙束１００に押し当てられながら（図４，５中の白抜き矢印）、図示しない駆動源によって、前進方向ＤＲ４に沿ってステープル針１１０に向かって進む。
【００４８】
図４および図５に示すように、第一刃２０は、連通空間１２にさしかかると、紙束１００を下方に撓ませながら進む。このとき、紙束１００は、積載台１１および第一刃２０に互いに挟み込まれることにより、連通空間１２に入り込んで湾曲する。紙束１００のうちステープル針１１０に綴じられた部分（図４中の領域ＩＶ）は、変形補助部１０（積載台１１および第一押圧離間機構）によって、長手方向ＤＲ１に対して湾曲させられる。
【００４９】
第一刃２０が紙束１００を押さえつけると、紙束１００の隙間が埋まること、および、紙束１００を構成する紙が圧縮されることにより、紙束１００のうち第一刃２０に押さえつけられた部分における紙束１００の厚みは小さくなる。さらに、紙束１００の変形によりステープル針１１０の足１１２が開くことで、紙束１００の下方への移動が、足１１２により規制されず可能となる。
【００５０】
紙束１００のうち第一刃２０に押さえつけられた部分における紙束１００の厚みが小さくなること、および、紙束１００が下方へ移動できるようになることにより、紙束１００とステープル針１１０の背１１１との間に隙間１２０が形成される。第一刃２０の狭端２０ａは、紙束１００の湾曲により形成された隙間１２０に挿入される。
【００５１】
図６に示すように、第一刃２０の狭端２０ａが隙間１２０に挿入された後、第一刃２０がさらに前進することで、隙間１２０を大きくしていく。隙間１２０に挿入された後の第一刃２０は、第一押圧離間機構により、図６中の白抜き矢印で示す紙束１００から離れる方向に移動しながら（紙束１００を持ち上げながら）、前進方向ＤＲ４に沿って前進し、ステープル針１１０を紙束１００から取り外す。
【００５２】
（作用効果）
図４に示すように、変形補助部１０は、紙束１００のうちステープル針１１０に綴じられた部分を、ステープル針１１０の長手方向ＤＲ１に対して湾曲する。これにより、ステープル針１１０と、紙束１００との間に隙間１２０が形成される。隙間１２０が形成されることにより、第一刃２０を紙束１００とステープル針１１０との間に挿入しやすくなる。したがって、ステープル針１１０の除去精度を向上することができる。
【００５３】
さらに、連通空間１２が形成された支持部１３（積載台１１）を採用することにより、簡易な構成で紙束１００を湾曲させることができる。
【００５４】
実施の形態１において、紙束１００は支持部１３（積載台１１）に固定されており、第一刃２０が動作方向ＤＲ３に動作することにより、ステープル針１１０を紙束１００から取り外す構成である。紙束１００を支持部１３に固定し、第一刃２０および第一押圧離間機構を含むリムーブ機構を動作させる構成とすることにより、紙束１００を安定させてステープル針１１０の除去を行なうことができる。
【００５５】
さらに、上記リムーブ機構を回転、および複数方向へ移動できる構成とすることにより、紙束１００に複数のステープル針１１０が綴じられている場合であっても、別途リムーブ機構を用意しなくとも、複数のステープル針１１０の除去に対応することができる。
【００５６】
図１に示すように、長手方向ＤＲ１において、連通空間１２の幅（図１中のＢ）とステープル針１１０の長さ（図１中のＣ）との差は、１[ｍｍ]以上２０[ｍｍ]以下であることが好ましい。連通空間１２の幅とステープル針１１０の長さとの差が小さい場合、紙束１００の撓みが小さくても大きな曲率が得られるが、紙束１００を撓ませる（湾曲させる）ために必要な力量が大きくなる。連通空間１２の幅とステープル針１１０の長さとの差が大きい場合、紙束１００を湾曲させるために必要な力量は小さくてもよいが、紙束１００の撓み量を大きくする必要がある。長手方向ＤＲ１における連通空間１２の幅とステープル針１１０の長さとの差を適切に設定することによって、紙束１００を効率よく湾曲させることができる。
【００５７】
端部Ｔは、長手方向ＤＲ１におけるステープル針１１０の延長線上では積載台１１に押さえつけられず、自由端である。これにより、紙束１００が湾曲する余裕を確保することができる。
【００５８】
紙束１００は、ステープル針１１０に対して、第一刃２０が挿入される方向（前進方向ＤＲ４）の上流側において、保持部材４０により押さえつけられることで保持されている。これにより、第一刃２０を紙束１００とステープル針１１０との間に挿入する際に、動作方向ＤＲ３において紙束１００が縒れることを抑制することができる。
【００５９】
図２に示すように、紙束１００は、変形補助部１０により湾曲させられる前の状態において、ステープル針１１０から、第一刃２０が挿入される方向（前進方向ＤＲ４）と逆方向に３０［ｍｍ］以上に亘って、ほぼ水平であって、紙束１００が撓んでいないことが好ましい。紙束１００が撓んでいると折れ目等が生じ、その折れ目等が紙束１００の長手方向ＤＲ１に対する湾曲を妨げる。紙束１００が、ステープル針１１０から、前進方向ＤＲ４と逆方向に３０［ｍｍ］以上に亘って、ほぼ水平を保つことにより、紙束１００を効果的に湾曲させることができる。
【００６０】
浮き防止部材３０は、第一刃２０がステープル針１１０を取り外す前において、紙束１００から離れて配置されている。これにより、第一刃２０が紙束１００を持ち上げながらステープル針１１０を紙束１００から取り外す構成であっても、第一刃２０に紙束１００がつられてステープル針１１０を除去できなくなることを抑制することができる。
【００６１】
さらに、浮き防止部材３０を採用することにより、第一刃２０を楔形状としなくとも、形状全体的に厚みが小さい第一刃２０を採用し、紙束１００が浮き上がる方向に持ち上げる動作でステープル針１１０を除去する構成とすることができる。
【００６２】
浮き防止部材３０は、ステープル針１１０から長手方向ＤＲ１に沿って離れた位置に配置されていることが好ましい。これにより、第一刃２０が紙束１００を持ち上げながらステープル針１１０を紙束１００から取り外す際に、第一刃２０に紙束１００がつられることをより抑制することができる。
【００６３】
なお、浮き防止部材３０は、ステープル針１１０に対して、第一刃２０が挿入される方向の上流側に配置されていてもよい。かかる場合においても、上記と同様に、第一刃２０に紙束１００がつられることを抑制する効果が得られる。
【００６４】
厚み方向ＤＲ２における、浮き防止部材３０から支持部１３までの長さ（図２中のＡ）は、最大除針枚数時の紙束１００の厚みよりも大きい。これにより、紙束１００の紙の枚数が最大除針枚数であっても、浮き防止部材３０は紙束１００から離れて配置されていることになる。したがって、第一刃２０を紙束１００とステープル針１１０との間に挿入する際に、動作方向ＤＲ３において紙束１００が縒れることを抑制することができる。
【００６５】
第一刃２０は、楔状の形状を有している。これにより、第一刃２０の前進動作のみでステープル針１１０を紙束１００から除去することができる。さらに、第一刃２０の前進方向ＤＲ４が長手方向ＤＲ１に対して直交していなくても、ステープル針１１０と紙束１００との間に第一刃２０を挿入しやすくなる。
【００６６】
上記のようなステープル針１１０と第一刃２０との位置ズレ（長手方向ＤＲ１に対して前進方向ＤＲ４が直交していない）を想定し、第一刃２０には、長手方向ＤＲ１または厚み方向ＤＲ２を中心軸とした回転方向に自由度を持たせることが好ましい。
【００６７】
ステープル針１１０と紙束１００との間に第一刃２０が挿入された後に前進を続けると長手方向ＤＲ１における長さが大きい部分がステープル針１１０の背１１１と接触するため、紙束１００からステープル針１１０を除去する際に片側の足１１２だけが抜けることを抑制することができる。
【００６８】
［実施の形態２］
図７は、実施の形態２のステープル針リムーバー１の概略正面図である。実施の形態１と異なり、実施の形態２の支持部１３は、弾性部材から構成されている。実施の形態２の支持部１３には、連通空間１２は形成されていない。実施の形態１と同様に、図示しない第一押圧離間機構によって、第一刃２０は、紙束１００に押し当てられながら（図７中の白抜き矢印）、前進方向ＤＲ４に沿ってステープル針１１０に向かって進む。これにより、紙束１００を介して支持部１３に圧力がかかる。紙束１００が湾曲するのに伴って、支持部１３が変形する。これにより、紙束１００とステープル針１１０との間に隙間１２０が形成される。
【００６９】
弾性部材を用いて支持部１３を構成することにより、ステープル針１１０の下方に連通空間１２が形成されていなくても紙束１００を湾曲させることができる。これにより、支持部１３上の任意の位置において、ステープル針１１０を除去することができる。さらに、支持部１３に連通空間１２を形成する必要が無くなるため、製造コストを抑制することができる。
【００７０】
［実施の形態３］
図８は、実施の形態３のステープル針リムーバー１の概略正面図である。図９は、図８に示すＩＸ−ＩＸ線に沿うステープル針リムーバー１の概略断面図である。図８および図９を参照して、実施の形態３のステープル針リムーバー１について説明する。
【００７１】
実施の形態１と異なり、支持部１３は、ステープル針１１０の背１１１側から紙束１００を支持している。第一刃２０は、ステープル針１１０の足１１２側に配置されている。実施の形態１と異なり、実施の形態３のステープル針リムーバー１は、押圧部５０と、第二刃６０とをさらに備えている。
【００７２】
押圧部５０は、ステープル針１１０の足側に配置されている。押圧部５０は、直方体状の形状を有している。実施の形態において、２つの押圧部５０は、長手方向ＤＲ１において、第一刃２０を挟むように配置されている。第二刃６０は、ステープル針１１０の背１１１側に配置されている。第二刃６０は、楔状の形状を有している。第二刃６０は、第一刃２０に対して、第一刃２０が挿入される方向（前進方向ＤＲ４）の上流側に配置されている。第二刃６０は、図示しないモーター等の駆動源により動作方向ＤＲ３に動作する。
【００７３】
支持部１３には、連通空間１２が形成されている。実施の形態３の連通空間１２は、厚み方向ＤＲ２において、支持部１３の表面１３ａと支持部１３の裏面１３ｂとを連通している。紙束１００は、ステープル針１１０の下方に連通空間１２が位置するように配置されている。押圧部５０は、長手方向ＤＲ１において連通空間１２の縁１２ａよりも内側に配置されている。長手方向ＤＲ１において、押圧部５０の幅（図８中Ｆ）は、連通空間１２の幅（図８中Ｇ）よりも小さい。
【００７４】
実施の形態１と同様に、変形補助部１０は、図示しない第一押圧離間機構を含んでいる。実施の形態１と異なり、実施の形態３の変形補助部１０は、図示しない第二押圧離間機構をさらに含んでいる。上記第二押圧離間機構によって、第二刃６０は、上方に押圧される。第二刃６０は、上方に押圧されながら、駆動源により前進方向ＤＲ４に沿ってステープル針１１０に向かって進む。
【００７５】
（実施の形態３のステープル針リムーバー１の動作）
図１０は、実施の形態３の第一刃２０が紙束１００とステープル針１１０との間に挿入される際の概略正面図である。図１１は、図１０に示すＸＩ−ＸＩ線に沿うステープル針リムーバー１の概略断面図である。図１２は、実施の形態３の第一刃２０が紙束１００とステープル針１１０との間に挿入された後の概略正面図である。図１３は、図１２に示すＸＩＩＩ−ＸＩＩＩ線に沿うステープル針リムーバー１の概略断面図である。図１０から図１３を参照して、実施の形態３の第一刃２０の動作について説明する。
【００７６】
図１０および図１１に示すように、第一刃２０は、連通空間１２にさしかかると、紙束１００を撓ませながら（湾曲させながら）進む。このとき、紙束１００は、支持部１３および第一刃２０に互いに挟み込まれることにより、連通空間１２に入り込んで湾曲する。第一刃２０が紙束１００を押さえつけると、紙束１００とステープル針１１０の足１１２との間に隙間１２１が形成される。第一刃２０の狭端２０ａは、紙束１００の湾曲により形成された隙間１２１に挿入される。押圧部５０および第二刃６０は、第一刃２０と連動して前進方向ＤＲ４へ進む。押圧部５０、第二刃６０、および第一刃２０は、一体となって動作する機構であることが好ましい。
【００７７】
図１２および図１３に示すように、第一刃２０の狭端２０ａが隙間１２１に挿入された後、第一刃２０がさらに前進することで、隙間１２１を大きくしていく。第一刃２０は、第一押圧離間機構により、紙束１００から離れる方向に移動する（図１２，１３中の白抜き矢印Ｈ）。第一刃２０が紙束１００から離れつつ、前進方向ＤＲ４に沿って前進し、ステープル針１１０の足１１２を広げていく。第一刃２０がステープル針１１０の足１１２を広げるにあたって、押圧部５０は、浮き防止部材３０と同様の役割を果たす。
【００７８】
図１４は、第二刃６０が紙束１００とステープル針１１０との間に挿入される際の概略正面図である。図１５は、図１４に示すＸＶ−ＸＶ線に沿うステープル針リムーバー１の概略断面図である。図１６は、第二刃６０が紙束１００とステープル針１１０との間に挿入された後の概略正面図である。図１７は、図１６に示すＸＶＩＩ−ＸＶＩＩ線に沿うステープル針リムーバー１の概略断面図である。図１４から図１７を参照して、第二刃６０の動作について説明する。
【００７９】
図１４および図１５に示すように、押圧部５０は、連通空間１２にさしかかると、紙束１００を下方に押圧（図１４，１５中の白抜き矢印Ｄ）しながら進む。第二刃６０は、連通空間１２にさしかかると、第二押圧離間機構により、紙束１００を持ち上げる方向に紙束１００を押圧（図１４，１５中の白抜き矢印Ｕ）する。第二刃６０は、紙束１００を上方に押圧しながら前進方向ＤＲ４に沿って進む。このとき、紙束１００は、押圧部５０および第二刃６０に互いに挟み込まれることにより、連通空間１２に入り込んで湾曲する。第二刃６０が紙束１００を上方に押圧することにより、紙束１００とステープル針１１０の背１１１との間に隙間１２２が形成される。第二刃６０は、紙束１００の湾曲により形成された隙間１２２に挿入される。
【００８０】
図１６および図１７に示すように、第二刃６０が隙間１２２に挿入された後、第二刃６０がさらに前進し、第二押圧離間機構によって紙束１００から離れながら（図１６，１７中の白抜き矢印）、第二刃６０は、ステープル針１１０を紙束１００から取り外す。第二刃６０は、ステープル針１１０を下方向に引き抜く。支持部１３は、第二刃６０がステープル針１１０を引き抜くにあたって、浮き防止部材３０と同様の役割を果たす。
【００８１】
（作用効果）
第一刃２０でステープル針１１０の足１１２を開き、第二刃６０をステープル針１１０の背１１１と紙束１００との間に挿入し、２段階でステープル針１１０を取り外すことにより、紙束１００へのダメージを軽減することができる。さらに、ステープル針リムーバー１の最大除針枚数を増加させることができる。
【００８２】
第二刃６０が第一刃２０に対して前進方向ＤＲ４の上流側に配置されていることにより、第一刃２０が第二刃６０による紙束１００の撓みを阻害することを抑制することができる。
【００８３】
支持部１３に連通空間１２が形成されていることにより、紙束１００が連通空間１２に入り込んで湾曲することができる。これにより、簡易な構成で紙束１００を湾曲させることができる。
【００８４】
図８に示すように、長手方向ＤＲ１における押圧部５０の幅（図８中Ｆ）は、長手方向ＤＲ１における連通空間１２の幅（図８中Ｇ）よりも小さいことが好ましい。これにより、押圧部５０が連通空間１２に入り込んで紙束１００を押し下げることができる。したがって、第二刃６０が上方へ紙束１００を押し上げる量を軽減することができ、ステープル針リムーバー１をコンパクトにすることができる。
【００８５】
第二刃６０がステープル針１１０を下方向に引き抜くことにより、ステープル針１１０が上方に跳ばされ、ステープル針リムーバー１に損傷を与えることを抑制することができる。ステープル針１１０を引き抜く方向に、磁性体等を配置することにより、確実にステープル針１１０を回収することができる。これにより、ステープル針リムーバー１に損傷を与えることを確実に抑制することができる。
【００８６】
第一刃２０および第二刃６０の両方において、楔状の形状にすることにより、前進方向ＤＲ４のみの駆動でステープル針１１０を除去することができる。なお、第一刃２０をステープル針１１０と紙束１００との間に挿入した後において、第一刃２０刃先を紙束１００から離れるように移動させることで、ステープル針１１０が紙束１００に前進方向ＤＲ４への力をかけることを抑制することができる。なお、第二刃６０についても同様である。
【００８７】
［実施の形態４］
図１８は、実施の形態４のステープル針リムーバー１を示す概略図である。実施の形態４において、実施の形態３と同様に、第一刃２０でステープル針１１０の足１１２を開いた後で、第二刃６０でステープル針１１０を取り外すという構成である。
【００８８】
実施の形態４の第二押圧離間機構は、カム機構８０である。カム機構８０は、ラック８１、ピニオンギヤ８２、仲介部材８３、バネ８４、およびカム８５を含んでいる。ラック８１は、支持部１３の下に設けられている。支持部１３は、固定されている。ラック８１には、ピニオンギヤ８２と噛合う歯型が形成されている。
【００８９】
ピニオンギヤ８２は、ラック８１と噛合って回転する。ピニオンギヤ８２は、動作方向ＤＲ３に動作する。仲介部材８３は、ピニオンギヤ８２と同軸で回転する。第二刃６０は、バネ８４により時計回りに付勢されている。第二刃６０は、バネ８４による付勢力により支持部１３の下方を押圧する。第二刃６０が、前進方向ＤＲ４に進み、連通空間１２にさしかかると、紙束１００の下方を押圧する。第二刃６０は、第一刃２０、押圧部５０およびピニオンギヤ８２と連動して前進方向ＤＲ４に前進する。
【００９０】
第一刃２０でステープル針１１０の足１１２を広げる前の段階において、ピニオンギヤ８２および仲介部材８３は、図１８に示す領域Ｘ内に配置されている。第一刃２０でステープル針１１０の足１１２を広げて、第二刃６０によりステープル針１１０を取り外す段階において、ピニオンギヤ８２および仲介部材８３は、領域Ｘから前進方向ＤＲ４に向かって前進する。ピニオンギヤ８２が前進方向ＤＲ４に進むに伴って、仲介部材８３が軸８２ａを中心に時計回りに回転する（図１８中の矢印Ｊ）。仲介部材８３が時計回りに回転することにより、仲介部材８３がカム８５と接触し、カム８５を反時計回りに回転させる（図１８中の矢印Ｉ）。第二刃６０は、カム８５により反時計回りの力が加えられる。カム８５による反時計回りの回転力が、バネ８４による時計回りの付勢力を上回る。これにより、ステープル針１１０を紙束１００から引き抜く動作が行なわれる。
【００９１】
第一刃２０、押圧部５０、第二刃６０、ピニオンギヤ８２、およびカム８５は、連動して動作する。これにより、ステープル針１１０と紙束１００との間への第一刃２０および第二刃６０の差し込み動作、並びに、ステープル針１１０の引き抜き動作を、１つの駆動源で行うことができる。
【００９２】
［実施の形態５］
図１９は、実施の形態５のステープル針リムーバー１の概略斜視図である。図２０は、図１９に示すステープル針リムーバー１の概略正面図である。図２０では、図１９に示すＸＸ方向から見た際の概略正面図を示している。実施の形態５の変形補助部１０は、搬送ローラー１６および対向ローラー１７を含んでいる。搬送ローラー１６は、紙束１００の足１１２側に配置されている。対向ローラー１７は、紙束１００を介して搬送ローラー１６と対向する。ステープル針１１０によって綴じられた紙束１００は、搬送ローラー１６および対向ローラー１７によって、ステープル針１１０が延びる方向に沿うように搬送される。
【００９３】
紙束１００が対向ローラー１７に跨るようにして、紙束１００の搬送経路が構成される。ステープル針１１０が、折返し部分にさしかかった時に紙束１００の搬送を一時停止する。この状態において、ステープル針１１０の除去動作を行う。
【００９４】
ステープル針１１０が、折返し部分にさしかかった時に、搬送ローラー１６および対向ローラー１７によって紙束１００を保持することにより、紙束１００のうちステープル針１１０で囲われた部分が湾曲し、ステープル針１１０の背１１１と紙束１００との間に隙間１２４が形成される。第一刃２０を隙間１２４に挿入することにより、ステープル針１１０を紙束１００から除去することができる。
【００９５】
なお、紙束１００全体を曲率のある台に置き、紙束１００のうちステープル針１１０で囲われた部分を湾曲させることによっても、ステープル針１１０と紙束１００との間に隙間を形成することができる。この場合において、湾曲部の曲率半径は、たとえばステープル針１１０の背１１１の長さの２倍程度にすることが好ましい。
【００９６】
（その他）
実施の形態１において、保持部材４０は、ステープル針１１０を紙束１００から除去する際に、紙束１００が回転、および移動しないよう、動作方向ＤＲ３において、ステープル針１１０と同ライン上１点に配置されてもよい。保持部材４０は、ステープル針１１０と上記同ラインを挟んで対称に複数個所に配置されても良い。
【００９７】
実施の形態１では積載台１１と第一刃２０で紙束１００を互い違いに挟みこむことで、隙間１２０を形成しているが、第一刃２０ではなく、別構成の押し付け部材を用いることにより、紙束１００を撓ませてもよい。ステープル針１１０を除去する動作中において、上記押し付け部材を動かさず一定の位置で押さえることにより、第一刃２０は、紙束１００を押さえ付けずに紙束１００上を移動することができる。これにより、紙束１００の表面を第一刃２０の狭端２０ａが擦ることによる紙束１００のダメージを小さくすることができる。
【００９８】
実施の形態１において、ステープル針１１０は、１か所に配置されているが、ステープル針１１０が数か所に配置される場合がある。その場合、複数のステープル針１１０を除去するためには、複数のステープル針１１０それぞれの下方の複数個所に連通空間１２が形成されていることが好ましい。
【００９９】
実施の形態１において、ステープル針１１０を除去する紙束１００が複数部ある場合、連続性を考えて複数部を重ねた状態でステープル針１１０の除去動作を行ってもよい。しかし、紙束１００を複数部を重ねると、ステープル針１１０が重なった部分だけ高さが異なる等の不確定要素が増えるため、複数部の紙束１００のうち一束ずつ搬送し、積載台１１に載置することが好ましい。
【０１００】
実施の形態２の支持部１３は、支持部１３全体が弾性部材でなくてもよく、支持部１３の一部が弾性部材からなる構成であってもよい。
【０１０１】
実施の形態３の支持部１３は、連通空間１２の両側に、動作方向ＤＲ３に延びる直方体からなる支持台が設けられている構成でもよい。
【０１０２】
実施の形態３において、長手方向ＤＲ１における押圧部５０の幅（図８中Ｆ）は、長手方向ＤＲ１における連通空間１２の幅（図８中Ｇ）以上の大きさであってもよい。
【０１０３】
今回開示された実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。
【符号の説明】
【０１０４】
１  ステープル針リムーバー、１０  変形補助部、１１  積載台、１１ａ，１３ａ  表面、１１ｂ，１３ｂ  裏面、１２  連通空間、１２ａ  縁、１３  支持部、１６  搬送ローラー、１７  対向ローラー、２０  第一刃、２０ａ  端、２０ｂ  広端、３０  浮き防止部材、４０  保持部材、５０  押圧部、６０  第二刃、８０  カム機構、８１  ラック、８２  ピニオンギヤ、８２ａ，８４ａ  軸、８３  仲介部材、８４  バネ、８５  カム、１００  紙束、１１０  ステープル針、１１１  背、１１２  足、１１３  貫通部、１２０，１２１，１２２，１２４  隙間、ＤＲ１  長手方向、ＤＲ２  厚み方向、ＤＲ３  動作方向、ＤＲ４  前進方向、Ｔ  端部。
【図１】
2019136781.tif 000003
【図２】
2019136781.tif 000004
【図３】
2019136781.tif 000005
【図４】
2019136781.tif 000006
【図５】
2019136781.tif 000007
【図６】
2019136781.tif 000008
【図７】
2019136781.tif 000009
【図８】
2019136781.tif 000010
【図９】
2019136781.tif 000011
【図１０】
2019136781.tif 000012
【図１１】
2019136781.tif 000013
【図１２】
2019136781.tif 000014
【図１３】
2019136781.tif 000015
【図１４】
2019136781.tif 000016
【図１５】
2019136781.tif 000017
【図１６】
2019136781.tif 000018
【図１７】
2019136781.tif 000019
【図１８】
2019136781.tif 000020
【図１９】
2019136781.tif 000021
【図２０】
2019136781.tif 000022